(57)【要約】【課題】  遺体の顔だけではなく全体を、蓋を取り外すことなく見ることができ、また遺体を綺麗に見せることができるようにする。【解決手段】  上面開口状の棺本体１と、この棺本体１の開口状の上面を閉塞する蓋２とで形成する。蓋２を透明状に形成する。この蓋２の裏面に、棺本体１に納められている遺体３を照明するための光源４を設ける。棺本体１を浅底状に形成する。また蓋２は、棺本体１の周壁に連なる垂直状の周壁部２ａを備えている。【選択図】  図１
2014076244.tif 000002
【特許請求の範囲】
【請求項１】
上面開口状の棺本体と、この棺本体の開口状の上面を閉塞する蓋とで形成されている棺であって、上記の蓋が透明状に形成され、この蓋の裏面に、棺本体に納められている遺体を照明するための光源が設けられ、棺本体が浅底状に形成されていると共に、この棺本体の周壁に連なる垂直状の周壁部を蓋が備えて形成されていることを特徴とする照明機能付きの棺。
【請求項２】
請求項1記載の照明機能付きの棺であって、光源が、矩形の蓋の短辺方向の中央位置に、蓋の長辺方向に沿って設けられていることを特徴とする照明機能付きの棺。
【請求項３】
請求項２記載の照明機能付きの棺であって、蓋の上面部が、長辺方向の全長にわたって平面状に形成されている天面部と、この天面部の両側に長辺方向の全長にわたって天面部から下り傾斜状に形成されている傾斜面部とで形成されていることを特徴とする照明機能付きの棺。
【発明の詳細な説明】
【技術分野】
【０００１】
本発明は、棺に関し、更に詳しくは遺体を綺麗に見せることができるよう形成した照明機能付きの棺に関するものである。
【背景技術】
【０００２】
従来、ランプを備えた棺としては、例えば特許文献１に記載されているものが知られている。
この特許文献１に記載の従来品は、棺の蓋の裏面に紫外線ランプが設けられ、蓋が閉じられると棺内の電源ボックスから紫外線ランプに通電し、蓋が開けられると通電を遮断するよう形成されている。
【０００３】
この従来品は、遺体の体液等に含まれる病原菌を滅菌して、二次感染を防ぐためのものである。そのため、ランプは紫外線ランプであり、蓋は遺体の顔に対応する部分に窓が形成されているだけであった。
【０００４】
而して、近時、例えばエンバーミングの技術等が向上したこともあり、遺体を納棺した後でも、蓋を一々取り外すことなく遺体を見たい、という遺族の要望が多い。
【０００５】
しかるに、従来品は、上記の通り、一旦、蓋をすると、窓から遺体の顔を見ることができるだけであり、またランプは衛生対策が目的のため、遺体を綺麗に見せる、という機能を有するものではなかった。
【先行技術文献】
【特許文献】
【０００６】
【特許文献１】実開平７−１７２２４号公報
【発明の概要】
【発明が解決しようとする課題】
【０００７】
本発明は、このような従来の実情に鑑み、提案されたものである。
従って、本発明の解決しようとする技術的課題は、遺体の顔だけではなく全体を、蓋を取り外すことなく見ることができ、また遺体を綺麗に見せることができるよう形成した照明機能付きの棺を提供することにある。
【課題を解決するための手段】
【０００８】
本発明は、上記の課題を解決するため、次のような技術的手段を採る。
即ち、本発明は、図１等に示されるように、上面開口状の棺本体１と、この棺本体１の開口状の上面を閉塞する蓋２とで形成されている棺であって、上記の蓋２が透明状に形成され、この蓋２の裏面に棺本体１に納められている遺体３を照明するための光源４が設けられ、棺本体１が浅底状に形成されていると共に、この棺本体１の周壁に連なる垂直状の周壁部２ａを、蓋２が備えて形成されていることを特徴とする（請求項１）。
【０００９】
本発明の場合、棺の形状や材質は自由である。光源４としては、例えば発光ダイオード（ＬＥＤ）や蛍光灯、白熱電球等がある。
【００１０】
而して、この場合、本発明は、図１等に示されるように、光源４が、矩形の蓋２の短辺方向の中央位置に、蓋２の長辺方向に沿って設けられているのが好ましい（請求項２）。
なぜならこれによると、遺体３の全体を効率良く照明でき、また棺の長辺方向の両側から遺体３を見易くなるからである。
【００１１】
またこの場合、本発明は、蓋２の上面部２ｂが、長辺方向の全長にわたって平面状に形成されている天面部２ｂ１と、この天面部２ｂ１の両側に長辺方向の全長にわたって天面部２ｂ１から下り傾斜状に形成されている傾斜面部２ｂ２とで形成されているのが好ましい（請求項３）。
なぜならこれによると、蓋２の上に守り刀等を置くことができ、しかも傾斜面部２ｂ２を介して棺の長辺方向の両側から遺体３を見易くなるからである。
【発明の効果】
【００１２】
本発明は、このように蓋が透明状に形成され、この蓋の裏面に、棺本体に納められている遺体を照明するための光源が設けられ、棺本体が浅底状に形成されていると共に、この棺本体の周壁に連なる垂直状の周壁部を蓋が備えて形成されているものである。
【００１３】
従って、本発明の場合は、遺体が浅底状の棺本体から露出され易くなる。
また本発明は、棺本体が浅底状でも、蓋が垂直状の周壁部を備えているから、この周壁部で棺の高さをカバーできる。
それ故、本発明は、遺体の収納機能を有しながら、蓋を一々取り外すことなく蓋をしたまま遺体を楽に見ることができる。
また本発明は、光源からの光で遺体を照明できる。
従って、これによれば、遺体を見え易くでき、遺体を綺麗に見せることができる、という利点がある。
【図面の簡単な説明】
【００１４】
【図１】本発明の棺の好適な一実施形態を示す斜視図である。
【図２】同上棺の平面図である。
【図３】同上棺の側面図である。
【図４】図３のＩＶ−ＩＶ線における断面図である。
【図５】同上棺の正面図である。
【図６】図５のＶＩ−ＶＩ線における要部拡大断面図である。
【図７】同上棺の他の実施形態を示す斜視図である。
【発明を実施するための形態】
【００１５】
以下、本発明を実施するための好適な一実施形態を、添付図面に従って説明する。
本発明は、図１等に示されるように、上面開口状の棺本体１と、この棺本体１の開口状の上面を閉塞する蓋２とで形成されている。
【００１６】
棺本体１は、長方形状の底板１ａと、この底板１ａの両長辺側に設けられている前後の側板１ｂと、底板１ａの両短辺側に設けられている左右の側板１ｃとで矩形状に形成されている。また棺本体１は、前後の側板１ｂと左右の側板１ｃの高さが低く選定され、浅底状に形成されている。
【００１７】
また本発明の場合、上記の蓋２は、透明状に形成されている。蓋２の材質は、この実施形態ではアクリル樹脂材である。蓋２は、棺本体１の側板１ｂ、１ｃでなる周壁と連なる垂直状の周壁部２ａを備えて形成されている。
【００１８】
また蓋２の上面部２ｂは、長辺方向の全長にわたって平面状に形成されている天面部２ｂ１と、この天面部２ｂ１の両側に長辺方向の全長にわたって天面部２ｂ１から下り傾斜状に形成されている傾斜面部２ｂ２とで形成されている。
なお、蓋２は、その短辺方向の両側面２ｃの下部に、把手２ｄが左右一対状形成されている。
【００１９】
また本発明品は、蓋２の裏面に、棺本体１に納められている遺体３を照明するための光源４が設けられている。この光源４は、この実施形態では発光ダイオード（ＬＥＤ）であり、矩形の蓋２の短辺方向の中央位置に、蓋２の長辺方向に沿って設けられている。
【００２０】
光源４は、具体的には、図３、図６等に示されるように、頭蓋２の天面部２ｂ１の裏面に形成されている収納部５に、ＬＥＤが断続的に且つ直列状に複数並べられて形成されている。収納部５は、蓋２の長辺方向に延ばされて細長ケース状に形成されている。収納部５の内寸は、この実施形態では幅が１５（ｍｍ）、高さが５（ｍｍ）、長さは遺体３の頭側に対応する端部が３０（ｍｍ）ほどあけられ、約１９００（ｍｍ）に選定されている。
【００２１】
またこの実施形態の本発明は、収納部５に対応する蓋２の上面位置に、幅３０（ｍｍ）、長さが約１９００（ｍｍ）にわたってメタリックシルバー塗装６が施されている。また蓋２の短辺方向の両側面２ｃの周辺部分にも、角を境に、その両側に、幅１０（ｍｍ）づつ、メタリックシルバー塗装７が施されている。この実施形態の本発明品は、これにより、蓋２の上面部２ｂの装飾性が高められ、また天面部２ｂ１等から上方へ抜ける光を遮断できるよう形成されている。
【００２２】
８はコンセントであり、９は光源４に接続されている電気コードである。この実施形態の本発明品は、斎場や居宅の部屋のコンセント８を介して光源４に給電可能に形成されている。
【００２３】
次に、この実施形態の本発明品の使用例を説明する。
【００２４】
先ず、使用者は、棺本体１内に遺体３を安置し、次に蓋２で棺本体１の上面を塞ぐ。
【００２５】
次に、使用者は、電気コード９のプラグを斎場や居宅の部屋のコンセント８に差し込む。これにより、光源４が点灯し、遺体３を照明する。
従って、本発明によれば、遺体３を明るく照らすことができ、蓋２を一々取り外すことなく、蓋２を介して遺体３を遺族等に綺麗に見せることができる。
【００２６】
以上の処において、本発明の場合、光源４の取り付け間隔や取り付け個数は任意である。
また本発明は、遺体３の顔色が良くなるよう、暖色系の光を放射するＬＥＤが顔付近に設けられているのでも良い。
また光源４は、光量の調節が可能になるよう調光装置を備えて形成されているのでも良い。
【００２７】
また本発明は、図７に示されるように、光源４が、例えば天面部２ｂ１に平行状に設けられているのでも良く、上例の構成に限定されるものではない。
また本発明の場合、光源４の形成位置、形成範囲、種類（点光源、棒状光源、面状光源）等は、適宜選定されるので良い。
【符号の説明】
【００２８】
１      棺本体
２      蓋
２ａ    周壁部
２ｂ    上面部
２ｂ１  天面部
２ｂ２  傾斜面部
３      遺体
４      光源
５      収納部
６、７  メタリックシルバー塗装
８      コンセント
９      電気コード
【図１】
2014076244.tif 000003
【図２】
2014076244.tif 000004
【図３】
2014076244.tif 000005
【図４】
2014076244.tif 000006
【図５】
2014076244.tif 000007
【図６】
2014076244.tif 000008
【図７】
2014076244.tif 000009